(57)【特許請求の範囲】
【請求項１】
建屋の上階側の建屋梁の受台と下階側の前記建屋梁の受台の間に掛け渡されて設置されるエスカレータのトラスと、
前記トラスの前端部と後端部にそれぞれ設けられ、前記各受台に載置される支持アングルと、
前記支持アングルと前記受台との間に設けられた一又は複数の高さ調整板と、
を有し、
前記高さ調整板は、
前記支持アングルに固定される第１調整板と、
前記受台に固定され、かつ、前記第１調整板より前記トラス側に設けられた第２調整板と、
を有し、
前記第２調整板は、前記第１調整板が前記トラス側へ前後方向に沿って移動する位置に固定されているエスカレータ。
【請求項２】
前記第２調整板から前記第１調整板に向かって延設された延設板と、
前記第１調整板と前記延設板とが左右方向に並ぶ位置において、前記第１調整板と前記延設板とを連結する連結部と、
を有し、
前記連結部は、前記第１調整板の前後方向の長さより細く形成された、
請求項１に記載のエスカレータ。
【請求項３】
前記第１調整板から前記第２調整板に向かって延設された延設板と、
前記第２調整板と前記延設板とが左右方向に並ぶ位置において、前記第２調整板と前記延設板とを連結する連結部と、
を有し、
前記連結部は、前記第２調整板の前後方向の長さより細く形成された、
請求項１に記載のエスカレータ。
【請求項４】
前記第１調整板は、前記支持アングルに溶接、又は、ボルトによって固定されている、
請求項１乃至３のいずれか一項に記載のエスカレータ。
【請求項５】
前記第２調整板は、前記受け台に溶接、又は、ボルトによって固定されている、
請求項１乃至４のいずれか一項に記載のエスカレータ。
【発明の詳細な説明】
【技術分野】
【０００１】
本発明の実施形態は、エスカレータに関するものである。
【背景技術】
【０００２】
エスカレータのトラスは、建屋の上階の建屋梁の受台と、下階側の建屋梁の受台の間に据え付けられている。このトラスは、耐震構造のために上階又は下階のどちらか一方の支持アングルが、建屋梁の受台に溶接などで固定され、他端は地震による揺れを吸収するために非固定となっている。
【０００３】
また、通常は地震などによって上下階の建屋梁の間の距離が広がっても、支持アングルと受台との間にはかかり代が確保されているため、トラスは落下しない。
【先行技術文献】
【特許文献】
【０００４】
【特許文献１】特開平５−２９４５９０号公報
【特許文献２】特開２００７−２９０７８５号公報
【発明の概要】
【発明が解決しようとする課題】
【０００５】
しかし、大きな地震で上階側と下階側の想定した層間変位以上に建屋梁の距離が広がるとトラスが落下する恐れがある。そのため、建屋梁の間が想定以上に広がったときに、建屋に固定された受台と支持アングルが引っ掛かるような構造にすればよいが、トラスの取り付け時の高さ調整代は現場毎で異なり、その構造を設けることは困難であるという問題点がある。
【０００６】
そこで、本発明の実施形態は上記問題点に鑑み、建屋梁の間の距離が想定以上に広がったときでも、トラスの落下を防止できるエスカレータを提供することを目的とする。
【課題を解決するための手段】
【０００７】
本実施形態は、建屋の上階側の建屋梁の受台と下階側の前記建屋梁の受台の間に掛け渡されて設置されるエスカレータのトラスと、前記トラスの前端部と後端部にそれぞれ設けられ、前記各受台に載置される支持アングルと、前記支持アングルと前記受台との間に設けられた一又は複数の高さ調整板と、を有し、前記高さ調整板は、前記支持アングルに固定される第１調整板と、前記受台に固定され、かつ、前記第１調整板より前記トラス側に設けられた第２調整板と、を有し、前記第２調整板は、前記第１調整板が前記トラス側へ前後方向に沿って移動する位置に固定されているエスカレータである。
【図面の簡単な説明】
【０００８】
【図１】本実施形態のエスカレータの全体図である。
【図２】支持アングルの上面図である。
【図３】支持アングルと受台の縦断面図である。
【図４】通常時の支持アングルと受台の縦断面図である。
【図５】通常時の調整板の平面図である。
【図６】地震発生時の支持アングルと受台の縦断面図である。
【図７】地震発生時の調整板の平面図である。
【図８】変更例の調整板の平面図である。
【発明を実施するための形態】
【０００９】
以下、本発明の一実施形態のエスカレータ１０について、図１〜図８に基づいて説明する。
【００１０】
（１）エスカレータ１０の構造
エスカレータ１０の全体の構造について図１に基づいて説明する。
【００１１】
エスカレータ１０のトラス１２は、建屋１の上階側の建屋梁４に設置された受台２と下階側の建屋梁５に設置された受台３との間に架け渡されている。トラス１２は、上階側の水平トラス１４、傾斜トラス１６、下階側の水平トラス１８とよりなる。上階側の水平トラス１４の内部は、機械室２０である。機械室２０内部には、エスカレータ１０を駆動させる不図示の踏段駆動機構が設けられている。また、傾斜トラス１６には、無端状の踏段チェーンによって駆動する踏段２２が設けられ、前記した踏段駆動機構によって上側又は下側に移動する。
【００１２】
トラス１２の上面両側には、左右一対の欄干２４が設けられ、欄干２４には、踏段２２と同期して移動する手摺ベルト２６が設けられている。
【００１３】
上階側の水平トラス１４の端部には、上階側の支持アングル２８が設けられ、上階側の受台２に、高さを調整する複数枚の調整板４０を介して載置されている。上階側の調整板４０については後から詳しく説明する。
【００１４】
下階側の水平トラス１８の端部には、下階側の支持アングル３０が設けられ、下階側の受台３に、高さを調整する複数枚の調整板３２を介して載置され、下階側の受台３に溶接して固定されている。また、この下階側の支持アングル３０の位置決めのために下階側の受台３には、Ｌ字状に折曲された位置決め板３４が設けられている。
【００１５】
（２）調整板４０の構造
次に、調整板４０の構造について図２及び図３に基づいて説明する。
【００１６】
上階側の支持アングル２８は、水平な状態の載置板３６と、この載置板３６から下方に屈曲された固定板３８とより構成され、固定板３８が、上階側の水平トラス１４の端部にボルトなどによって固定されている。
【００１７】
一方、受台２は、建屋梁４の上面にアンカーボルト６によって固定されている。
【００１８】
調整板４０は、支持アングル２８に固定される第１調整板４２と、受台２に固定される第２調整板４４とよりなる。第１調整板４２は、長方形であり、第１調整板４２よりもトラス側に位置すると共に、第２調整板４４から第１調整板４２に向かって延設板４６が設けられている。この延設板４６は、第１調整板４２と左右方向に並ぶ位置に設けられている。また、延設板４６と第１調整板４２とは、他の部分よりも細く形成された２個の連結部４８を介して連結され、第１調整板４２、第２調整板４４、延設板４６及び連結部４８が一体となって一枚の調整板４０を構成している。
【００１９】
また、支持アングル２８の載置板３６には、第２調整板４４を受台２に固定するときに、アンカーボルト５０が貫通する矩形のボルト孔５２が開口している。
【００２０】
（３）支持アングル２８の固定方法
支持アングル２８を受台２に固定方法について説明する。
【００２１】
まず、複数枚の調整板３２を用いて上階側の支持アングル２８を載置するために、作業者は、調整板４０の枚数を変化させて高さ調整を行う。
【００２２】
次に、作業者は、高さ調整が終了すると、第１調整板４２と支持アングル２８とをアンカーボルト５４によって固定する。
【００２３】
次に、作業者は、図３に示すように、ボルト孔５２が開口しているため、この部分からアンカーボルト５０によって、第２調整板４４を受台４に固定する。この場合に、支持アングル２８には、ボルト孔５２が開口しているため、アンカーボルト５０の頭が第２調整板４４より突出していても、支持アングル２８を水平に載置できる。これによって、支持アングル２８が受台２に固定された状態となる。
【００２４】
（４）調整板４０の役割
次に、調整板４０の役割について図４〜図７に基づいて説明する。
【００２５】
地震などが発生せず通常の状態においては、図４及び図５に示すように、第１調整板４２と第２調整板４４とは延設板４６及び連結部４８を介して一体となっており、支持アングル２８を所定の高さに維持できる。
【００２６】
次に、地震発生時には、図６及び図７に示すように、地震力によりエスカレータ１０の建屋梁４，５の間の寸法が拡大すると、その剪断力により、延設板４６と第１調整板４２とを連結している連結部４８で分離される。しかし、第２調整板４４は受台２に固定され、移動する第１調整板４２は支持アングル２８に固定されているため、第１調整板４２は第２調整板４４に保持されて、第２調整板４４がストッパーの役割を果たし、トラス１２の落下を防止できる。すなわち、地震発生時においては、建屋橋梁４，５の間に力が働き広がり、図５に示すように連結部４８に地震力による剪断力が掛り、この部分が分断し、図７に示すように、この分断された連結部４８から第１調整板４２がずれて、第２調整板４４に当たる。一方、第２調整板４４はアンカーボルト５４によって受台２に固定されているため、第１調整板４２及び支持アングル２８が当たって引っ掛かり、これ以上トラス１２を移動させることがないので、落下を防止できる。
【００２７】
（５）効果
本実施形態によれば、建屋梁４，５の間の距離が広がっても、第１調整板４２が第２調整板４４に引っ掛かり、トラス１２が落下しない。そして、高さ調整代は現場毎に異なっても調整板４０の枚数で調整でき、また、上記したように調整板４０が落下防止構造を兼用するため現場毎に安価に対応できる。
【００２８】
（６）変更例
上記実施形態では、第１調整板４２及び第２調整板４４をそれぞれアンカーボルト５０，５４で支持アングル２８や受台２に固定したが、これに代えて溶接で固定してもよい。
【００２９】
また、上記実施形態では、上階側の支持アングル２８に分離可能な調整板４０を設けたが、これに代えて下階側の支持アングル３０に設けてもよく、また上下両方の階の支持アングル２８，３０に本実施形態の構造を適用してもよい。
【００３０】
また、上記実施形態では、第２調整板４４に延設板４６を設けたが、これに代えて図８に示すように、第１調整板４２に延設板４６を設け、第２調整板４４とこの延設板４６とを連結部４８で連結してもよい。
【００３１】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１・・・建屋、２・・・受台、１０・・・エスカレータ、１２・・・トラス、２８・・・支持アングル、４０・・・調整板、４２・・・第１調整板、４４・・・第２調整板、４６・・・延設板、４８・・・連結部
【図１】
0005456837.tif 000002
【図２】
0005456837.tif 000003
【図３】
0005456837.tif 000004
【図４】
0005456837.tif 000005
【図５】
0005456837.tif 000006
【図６】
0005456837.tif 000007
【図７】
0005456837.tif 000008
【図８】
0005456837.tif 000009